(57)【特許請求の範囲】
【請求項１】
蓋部、感光材料ロール収納部を構成する後面部、底面部、前面部外側面および前面部内側面の順に折り曲げ部を介して接続され、
前記後面部の左右両側に側面部連結片が折り曲げ部を介して接続され、
前記底面部の左右両側に側面部外側面、側面部内側面の順に折り曲げ部を介して接続され、さらに側面部外側面に前面部連結片が折り曲げ部を介して接続され、
前記側面部連結片が側面部外側面と側面部内側面の間に挿入され、前記前面部連結片が前面部外側面および前面部内側面の間に挿入されてなる一枚の段ボール材から形成された感光材料ロール収納容器であって、
前記左右両側の側面部内側面に折り曲げ部を介して接続され前記前面部および後面部の内側に沿って重ねられた補強片と、該補強片に縦方向に形成された少なくとも１個のスリットとを備えることを特徴とする感光材料ロール収納容器。
【請求項２】
前記後面部の内側面と補強片外側面との間に補強部材が挿入されていることを特徴とする請求項１記載の感光材料ロール収納容器。
【請求項３】
前記スリットに係合される調整板を備えることを特徴とする請求項１または２に記載の感光材料ロール収納容器。
【請求項４】
前記調整板に縦方向に形成された切欠部を備えることを特徴とする請求項３記載の感光材料ロール収納容器。
【請求項５】
前記調整板に側面部と当接される当接片を設けることを特徴とする請求項３または４記載の感光材料ロール収納容器。
【請求項６】
下記の各面および各片が折り曲げ部を介して一体的に接続されていることを特徴とする感光材料ロール収納容器形成用段ボール材。
Ａ面：長辺にて内側に折りまげることにより蓋部前面部となる横長の矩形面、
Ｂ面：一方の長辺にてＡ面折り曲げ用長辺と接続し、他方の長辺で内側に折り曲げることにより、蓋部上面部となる横長の矩形面、
Ｃ面：一方の長辺にてＢ面の折り曲げ用長辺と接続し、他方の長辺で内側に折り曲げることにより収納部後面部となる横長の矩形面、
Ｄ面：一方の長辺にてＣ面の折り曲げ用長辺と接続し、他方の長辺で内側に折り曲げることにより収納部底面部となる横長の矩形面、
Ｅ面：一方の長辺にてＤ面の折り曲げ用長辺と接続し、他方の長辺で内側に折り曲げることにより収納部前面部の外側面となる横長の矩形面、
Ｆ面：一方の長辺にてＥ面の折り曲げ用長辺と接続し、収納部前面部の内側面となる横長の矩形面、
Ａ1片：Ａ面の両側の短辺に、その短辺にて内側に折り曲げ可能に接続し、内側に折り曲げることにより容器組立時にＢ1面とＢ11面との間に挿入される略正方形状の連結片、
Ｂ1面：Ｂ面の両側の短辺に、その短辺にて内側に折り曲げ可能に接続し、内側に折り曲げることにより蓋部側面部の外側面となる略正方形面、
Ｂ11面：Ｂ1 面の上記接続辺に相対する辺にて内側に折り曲げ可能に接続し、内側に折り曲げることにより蓋部側面部の内側面となる略正方形面、
Ｃ1片：Ｃ面の両方の短辺に、その短辺にて内側に折り曲げ可能に接続し、内側に折り曲げることにより容器組立時にＤ1面とＤ11面との間に挿入される略正方形の連結片、
Ｄ1面：Ｄ面の両方の短辺に、その短辺にて内側に折り曲げ可能に接続し、内側に折り曲げることにより収納部側面部の外側面となるほぼ正方形面、
Ｄ11面：Ｄ1面の上記接続辺に相対する辺にて内側に折り曲げ可能に接続し、内側に折り曲げることにより収納部側面部の内側面となる略正方形面、
Ｄ12片：Ｄ1面をＥ面の短辺に沿って延長した面で、Ｄ1面との境界部にて内側に折り曲げ可能に接続していて、容器組立時にＥ面とＦ面との間に挿入される略正方形状の連結片、
Ｄ111片：Ｄ12面をＥ面の短辺に沿って延長した面で、Ｄ11面との境界部にて内側に折り曲げ可能に接続されるとともに、Ｄ12側に開口する少なくとも１個のスリットが形成され、容器組立時にＦ面と重なり合わされる略矩形状の補強片、
Ｄ112片：Ｄ11面をＣ面の短辺に沿って延長した面で、Ｄ11面との境界部にて内側に折り曲げ可能に接続されるとともに、Ｃ1側に開口する少なくとも１個のスリットが形成され、容器組立時にＣ面と重なり合わされる略矩形状の補強片。
【発明の詳細な説明】
【０００１】
【発明の属する技術分野】
本発明は、ロール状の感光材料シート（以下、感光材料ロールという）の収納容器に関するものである。
【０００２】
【従来の技術】
長尺状の感光材料シートを保管、運搬する際には、感光材料シートを円筒状の軸芯に巻いてロール状にした後、段ボール製容器などのパルプ製の包装材料に収納して保管、運搬するのが一般的である。
【０００３】
この感光材料ロールの収納容器として、一枚の段ボール材を折り込んで収納部と、その収納部の上面開口部の一辺に一体的に接続されている蓋部とを組み立てた容器が知られている（例えば、実開平６−２１０４１号公報参照）。この収納容器は、糊付け（グルー接合）やワイヤー止め（ステッチ接合）を必要としないので、収納容器の使用後、段ボール材を容易に解体することができ、廃棄処理する場合に容積を小さくすることができ、また、一旦、段ボール材に解体しても、再度、折り込んで容器として利用することができるのでリサイクルが容易にでき、省資源化が図られるという利点がある。
【０００４】
【発明が解決しようとする課題】
しかしながら、一枚の段ボール材を折り込んで組み立てた収納容器の収納部に感光材料ロールを収納し、蓋部で蓋をした収納容器の蓋上面部に荷重がかかると、収納部の後面部が潰れることがあるという問題を有し、さらに、感光材料ロール収納容器を積み上げて長期間放置すると、収納部の後面部（蓋部と接続する収納部面部）がつぶれることによって、積み上げられた感光材料ロール収納容器が傾き、荷崩れを起こすことがあるという問題を有している。
【０００５】
上記の感光材料ロール収納容器では、感光材料ロールを収納して容器の蓋を閉じると、収納部前面と蓋部前面部とは重なりあって容器全体の前面部は二枚以上の段ボール材から構成されるのに対して、収納部後面は一枚の段ボール材から構成されるのが一般的である。したがって、上記の収納部後面のみがつぶれる原因として、容器全体の前面部の圧縮強度（つぶれにくさ）は、収納部後面部の圧縮強度と比較して高いので、荷重がかかると容器全体の前面部はつぶれずに、収納部後面がつぶれてしまうためと考えられる。
【０００６】
さらに、従来の感光材料ロール収納容器の問題点を挙げる。感光材料ロールは、ロール幅サイズが数１０種類あり、そのサイズ毎に収納容器を用意するのはコストがかかるという問題を有し、また、数種類のロール幅サイズを同一の収納容器で共有化する方法として、その隙間を埋めるスペーサを新たに作成し感光材料ロールの両側に充填する方法もあるが、スペーサの作成、廃棄にコストがかかるとともに、感光材料ロールの取り出し時にスペーサが邪魔になり作業性が悪いという問題を有している。
【０００７】
本発明は、上記従来の問題を解決するものであって、蓋部上面部に荷重がかかっても、収納部後面部がつぶれにくいとともに、数種類のロール幅サイズを同一の収納容器で簡単な構成により共有化することができる感光材料ロール収納容器および該容器形成用段ボール材を提供することを目的とする。
【０００８】
【課題を解決するための手段】
上記目的を達成するために、本発明の請求項１記載の感光材料ロール収納容器は、蓋部（Ａ面、Ｂ面）、感光材料ロール収納部を構成する後面部（Ｃ面）、底面部（Ｄ面）、前面部外側面（Ｅ面）および前面部内側面（Ｆ面）の順に折り曲げ部を介して接続され、
前記後面部（Ｃ面）の左右両側に側面部連結片（Ｃ1片）が折り曲げ部を介して接続され、
前記底面部（Ｄ面）の左右両側に側面部外側面（Ｄ1面）、側面部内側面（Ｄ11面）の順に折り曲げ部を介して接続され、さらに側面部外側面（Ｄ1面）に前面部連結片（Ｄ12片）が折り曲げ部を介して接続され、
前記側面部連結片（Ｃ1片）が側面部外側面（Ｄ1面）と側面部内側面（Ｄ11面）の間に挿入され、前記前面部連結片（Ｄ12片）が前面部外側面（Ｅ面）および前面部内側面（Ｆ面）の間に挿入されてなる一枚の段ボール材から形成された感光材料ロール収納容器であって、
前記左右両側の側面部内側面（Ｄ11面）に折り曲げ部を介して接続され前記前面部および後面部の内側に沿って重ねられた補強片（Ｄ111片、Ｄ112片）と、該補強片に縦方向に形成された少なくとも１個のスリット１５とを備えることを特徴とする。
【０００９】
また、請求項２記載の発明は、請求項１において、前記後面部の内側面と補強片外側面との間に補強部材１９が挿入されていることを特徴とし、請求項２記載の発明は、請求項１または２において、前記スリットに係合される調整板１６を備えることを特徴とし、請求項４記載の発明は、請求項３において、前記調整板に縦方向に形成された切欠部１６ｃを備えることを特徴とし、請求項５記載の発明は、請求項３または４において、前記調整板に側面部と当接される当接片１６ｄを設けることを特徴とする。
【００１０】
また、本発明の請求項６記載の感光材料ロール収納容器形成用段ボール材は、下記の各面および各片が折り曲げ部を介して一体的に接続されていることを特徴とする。
Ａ面：長辺にて内側に折りまげることにより蓋部前面部となる横長の矩形面、
Ｂ面：一方の長辺にてＡ面折り曲げ用長辺と接続し、他方の長辺で内側に折り曲げることにより、蓋部上面部となる横長の矩形面、
Ｃ面：一方の長辺にてＢ面の折り曲げ用長辺と接続し、他方の長辺で内側に折り曲げることにより収納部後面部となる横長の矩形面、
Ｄ面：一方の長辺にてＣ面の折り曲げ用長辺と接続し、他方の長辺で内側に折り曲げることにより収納部底面部となる横長の矩形面、
Ｅ面：一方の長辺にてＤ面の折り曲げ用長辺と接続し、他方の長辺で内側に折り曲げることにより収納部前面部の外側面となる横長の矩形面、
Ｆ面：一方の長辺にてＥ面の折り曲げ用長辺と接続し、収納部前面部の内側面となる横長の矩形面、
Ａ1片：Ａ面の両側の短辺に、その短辺にて内側に折り曲げ可能に接続し、内側に折り曲げることにより容器組立時にＢ1面とＢ11面との間に挿入される略正方形状の連結片、
Ｂ1面：Ｂ面の両側の短辺に、その短辺にて内側に折り曲げ可能に接続し、内側に折り曲げることにより蓋部側面部の外側面となる略正方形面、
Ｂ11面：Ｂ1 面の上記接続辺に相対する辺にて内側に折り曲げ可能に接続し、内側に折り曲げることにより蓋部側面部の内側面となる略正方形面、
Ｃ1片：Ｃ面の両方の短辺に、その短辺にて内側に折り曲げ可能に接続し、内側に折り曲げることにより容器組立時にＤ1面とＤ11面との間に挿入される略正方形の連結片、
Ｄ1面：Ｄ面の両方の短辺に、その短辺にて内側に折り曲げ可能に接続し、内側に折り曲げることにより収納部側面部の外側面となるほぼ正方形面、
Ｄ11面：Ｄ1面の上記接続辺に相対する辺にて内側に折り曲げ可能に接続し、内側に折り曲げることにより収納部側面部の内側面となる略正方形面、
Ｄ12片：Ｄ1面をＥ面の短辺に沿って延長した面で、Ｄ1面との境界部にて内側に折り曲げ可能に接続していて、容器組立時にＥ面とＦ面との間に挿入される略正方形状の連結片、
Ｄ111片：Ｄ12面をＥ面の短辺に沿って延長した面で、Ｄ11面との境界部にて内側に折り曲げ可能に接続されるとともに、Ｄ12側に開口する少なくとも１個のスリットが形成され、容器組立時にＦ面と重なり合わされる略矩形状の補強片、
Ｄ112片：Ｄ11面をＣ面の短辺に沿って延長した面で、Ｄ11面との境界部にて内側に折り曲げ可能に接続されるとともに、Ｃ1側に開口する少なくとも１個のスリットが形成され、容器組立時にＣ面と重なり合わされる略矩形状の補強片。
【００１１】
なお、上記構成に付加した記号、番号は、本発明の理解を容易にするために図面と対比させるものであり、これにより本発明の構成が何ら限定されるものではない。
【００１２】
【発明の実施の形態】
以下、本発明の実施の形態を図面を参照しつつ説明する。図１は、本発明における感光材料ロール収納容器の１実施形態を示す斜視図である。
【００１３】
収納容器１は、感光材料ロール収納部２と収納部２を閉じる蓋部３とからなる。収納部２は、横長長方形の前面部４、底面部５、後面部６および略正方形の右側面部７、左側面部８からなり、左右側面部７、８のそれぞれが延長されて形成された補強片９、１０が、前面部４および後面部６の左右両側から前面部４および後面部６の内側面に沿って重ね合わされている。補強片９、１０の長さは後面部６の短辺長さ以下であることが好ましい。蓋部３は、後面部６に接続される横長長方形の上面部１１と、前面部１２およびそれぞれ略正方形の右側面部１３、左側面部１４からなる。
【００１４】
左右両側に対向する補強片９、１０には、縦方向に所定の深さを有する複数のスリット１５が形成される。そして、感光材料ロールの幅サイズが左右側面部７、８間の長さより短い場合には、左右両側の補強片９、１０に形成されたスリット１５に沿って一対の調整板１６が挿入される（図では左側のスリット１５にのみ挿入する様子を示し、右側は図示を省略している）。なお、スリット１５は少なくとも１個あればよい。
【００１５】
調整板１６は、スリット１５の厚みと、対向する補強片９、１０の幅を有するプレート本体１６ａと、プレート本体１６ａの上部両側に突出する係合部１６ｂを備え、調整板１６をスリット１５に挿入したとき、係合部１６ｂがスリット１５に係合される。なお、スリット１５の位置は、感光材料ロールの複数種類のロール幅サイズに合わせて設定するが、感光材料ロールの装填性、取出性の観点から、感光材料ロールを収納したとき、感光材料ロールの幅サイズより４mm程度長くなるように両側の調整板１６が位置するように設計することが好ましい。
【００１６】
図２は、図１の調整板１６の変形例を示し、図２（Ａ）は調整板の斜視図、図２（Ｂ）は収納時の状態を示す平面図である。なお、以下の説明において、各図面間で同一の構成については同一番号を付して説明を省略する場合がある。
【００１７】
本例においては、プレート本体１６ａに切欠部１６ｃを形成し、この切欠部１６ｃから図２（Ｂ）の矢印方向に指を差し込んで、感光材料ロール１７の軸芯１７ａを両側から把持することにより、感光材料ロール１７の収納容器１に対する装填性、取出性を向上させることができる。
【００１８】
図３は、図１の調整板１６の他の変形例を示す斜視図である。本例においては、プレート本体１６ａの外方に、係合部１６ｂを突出させる状態で、一対の当接片１６ｄを設け、この当接片１６ｄを収納容器１の側面部７、８に当接させるようにしている。これにより、収納容器１の剛性をさらに高めることができる。
【００１９】
図４は、本発明における感光材料ロール収納容器の他の実施形態を示す斜視図である。本実施形態においては、収納部２の後面部６の内面と補強片１０の後方面との間に補強部材１９を挿入している。補強部材１９は一枚の段ボール材であることが好ましい。これにより後面部６の剛性をさらに向上させることができる。
【００２０】
図５は、図１の感光材料ロール収納容器を形成するための段ボール材の１実施形態を示す平面図である。以下、段ボール材のそれぞれの面および片について図１をも参照しつつ詳述する。
【００２１】
容器形成用段ボール材２０は、蓋部３を構成するＡ面（蓋部前面部）、Ｂ面（蓋部上面部）、Ａ1片（蓋部側面部連結片）、Ｂ1面（蓋部側面部外側面）、Ｂ11面（蓋部側面部内側面）と、収納部２を構成するＣ面（収納部後面部）、Ｄ面（収納部底面部）、Ｅ面（収納部前面部外側面）、Ｆ面（収納部前面部内側面）、Ｃ1片（収納部側面部連結片）、Ｄ1面（収納部側面部外側面）、Ｄ11面（収納部側面部内側面）、Ｄ12片（収納部前面部連結片）およびＤ111片（前面部補強片）、Ｄ112片（後面部補強片）とからなる。容器形成用段ボール材２０は、段ボール材に先端形状が丸いあるいは直角の押し圧部材を押しつけて、図示点線で示すように、それぞれの面を接続する接続辺（折り曲げ部）を形成することにより製造する。なお、蓋部３と収納部２との接続辺（Ｂ面とＣ面との接続辺）は、ヒンジ部を構成するため先端形状が直角の押し圧部材で押しつけて成形することが好ましい。
【００２２】
Ａ面は、蓋部前面部１２を、Ｂ面は蓋部上面部１１を構成する。Ｃ面は収納部後面部６を、Ｄ面は収納部底面部５を構成する。Ｅ面は前面部外側面、Ｆ面は前面部内側面で両者で収納部前面部４を構成し、Ｆ面を手前側（内側）に折り込んで、Ｅ面と重ね合わせることにより、２枚重ねの収納部前面部４となる。
【００２３】
Ｂ1面（外側面）とＢ11面（内側面）とが蓋部側面部１３、１４を構成し、
Ｂ11面を手前側（内側）に折り込んで、Ｂ1面と重ね合わせることにより２枚重ねの左右の蓋部側面部１３、１４となる。
【００２４】
Ａ1面は、蓋部前面部１２と蓋部側面部１３、１４とを連結する。すなわち、Ｂ1面とＢ11面との間にＡ1面を挿入することにより、蓋部前面部１２と左右の蓋部側面部１３、１４を接合する。
【００２５】
側面部外側面Ｄ1面と側面部内側面Ｄ11面とが左右の収納部側面部７、８を構成し、Ｄ11面を手前側（内側）に折り込んで、Ｄ1面とを重ね合わせることにより２枚重ねの収納部側面部７、８となる。
【００２６】
Ｃ1連結片は、収納部後面部６と収納部側面部７、８とを連結する。すなわち、Ｄ1面とＤ11面との間にＣ1連結片を挿入することにより、収納部後面部６と左右の収納部側面部７、８とを接合する。
【００２７】
Ｄ12連結片は、収納部前面部４と収納部側面部７、８とを連結する。すなわち、Ｅ面とＦ面との間にＤ12連結片を挿入することにより、収納部前面部４と左右の収納部側面部７、８とを接合する。
【００２８】
Ｄ111片およびＤ112片は補強片９、１０を構成し、Ｄ111片およびＤ112片にはＣ1片およびＤ12片に対向して少なくとも１個のスリット１５が形成されている。そして、Ｄ111片はＦ面の内側に重ね合わせ、Ｄ112片はＣ面の内側に重ね合わせることにより、図１に示した前面部４および後面部６を補強する補強片９、１０が形成されることになる。
【００２９】
図６〜図８は、本発明における感光材料ロール収納容器形成用段ボール材の他の実施形態を示し、図６は段ボール材の平面図、図７は図６の要部拡大平面図、図８は、図６の段ボール材を組み立てた収納容器の斜視図である。
【００３０】
容器形成用段ボール材３０は、二枚重ねの蓋部側面部１３、１４、収納部側面部７、８および収納部前面部４の内側面を構成するＢ11面、Ｄ11面、Ｆ面の容器を組み立てる際に内側面と接する側の辺に凸部３１を設け、そして、容器を組み立てる際に凸部の先端が触れるＡ面、Ｂ面、Ｄ面に凸部３１を差し込む受け部３２を設けている。そして、容器を組み立てる際に凸部３１を受け部３２に差し込むことにより、容器の内側に折り込まれる面は折込み方向に反発して戻らないように固定される（図８参照）。
【００３１】
また、Ｂ1面とＢ11面とが接続する辺のＣ面側の端部は丸く裁断するようしている。図８に示すように容器の蓋部側面部の四角のうち、前面部及び上面部のどらちにも接しない角部３３を丸くすることで、蓋を開閉する際に角が床などに擦れにくくなる。Ａ面のＢ面に接続しない側の一部は裁断してあることが好ましい。図６および図８に示すように容器の蓋部３に取っ手３４を設けることで蓋の開閉が容易になる。さらに、図７に示すようにＢ1面とＣ1面との間に隙間３５を設けることにより、図４に示す補強部材１９を補強片１０と収納部後面部６との間に挿入しやすくしている。
【００３２】
本発明の特徴は、収納部２の左右側面部７、８から前面部４および後面部６の内側に沿って補強片９、１０を重ね、この補強片９、１０に縦方向に複数のスリット１５を形成することにより、収納容器の剛性を高めるとともに、スリット１５に調整板１６を係合させることにより、数種類のロール幅サイズを同一の収納容器で共有化させるものであるが、これを実現するための収納容器として図９に示す変形例も可能である。
【００３３】
すなわち、収納容器は、箱状の収納部４１と収納部４１を覆う別体の蓋部４２からなり、収納部４１の上面の縁部４１ａに縦方向に複数のスリット４１ｂを形成し、このスリット４１ｂに前述の調整板１６を係合させるものである。
【００３４】
以上、本発明の実施の形態について説明したが、本発明はこれに限定されるものではなく種々の変更が可能である。例えば、本発明の収納容器は、感光材料ロールの製造側でもユーザ側でも使用できる。ユーザ側で使用する収納箱は通常、棚に並べて効率よく置かれているが、その収納箱にも本発明を採用することにより、収納箱のサイズは少なくても、多くのサイズの感光材料ロールを収納することができる。
【００３５】
【発明の効果】
以上の説明から明らかなように、本発明によれば、蓋部上面部に荷重がかかっても、収納部後面部がつぶれにくいとともに、数種類のロール幅サイズを同一の収納容器で簡単な構成により共有化することができる。
【図面の簡単な説明】
【図１】本発明における感光材料ロール収納容器の１実施形態を示す斜視図である。
【図２】図１の調整板の変形例を示し、図２（Ａ）は調整板の斜視図、図２（Ｂ）は収納時の状態を示す平面図である。
【図３】図１の調整板の他の変形例を示す斜視図である。
【図４】本発明における感光材料ロール収納容器の他の実施形態を示す斜視図である。
【図５】図１の感光材料ロール収納容器を形成するための段ボール材の１実施形態を示す平面図である。
【図６】感光材料ロール収納容器形成用段ボール材の他の実施形態を示す平面図である。
【図７】図６の要部拡大平面図である。
【図８】図６の段ボール材を組み立てた収納容器の斜視図である。
【図９】本発明の変形例を示す斜視図である。
【符号の説明】
２…収納部
３…蓋部
４…前面部
５…底面部
６…後面部
７、８…側面部
９、１０…補強片
１５…スリット
１６…調整板
１６ｃ…切欠部
１６ｄ…当接片
１９…補強部材
【図１】
0004162176.tif 000002
【図２】
0004162176.tif 000003
【図３】
0004162176.tif 000004
【図４】
0004162176.tif 000005
【図５】
0004162176.tif 000006
【図６】
0004162176.tif 000007
【図７】
0004162176.tif 000008
【図８】
0004162176.tif 000009
【図９】
0004162176.tif 000010